(57)【要約】      （修正有）【課題】可撓性の枠体とネットの一部とを一体化し、ゴミ投入後のネット位置安定保持を可能としたネット一体型の掲示板付きゴミステーション用可撓性枠体を提供する。【解決手段】格子部２を主部とする所定巾環状もしくは環状に変形可能なる可撓性を有する主枠体１を設け、主枠体に固定される筒状のネット収納枠体４を設ける。ネット収納枠体内部を上下に二分する仕切り板を設け、仕切り板下方にポール保持のための有孔のウエイトを位置させる。ウエイト内にその下部を保持されるポールを設けるとともに、このポールをネット収納枠体上方に突出させる。ポール上縁に掲示板１０を取り付け、ネット収納枠体上縁に載置される上蓋１１を設ける。一方、主枠体の展開時における上面を覆うネットを設け、ネットの一部をネット収納枠体および主枠体の上部の一部に固定することにより、ネットの枠体に対する非固定部を持ち上げることにて、ゴミ袋投入後のネット位置安定保持を可能とする。【選択図】図５
0003196460.tif 000002
【実用新案登録請求の範囲】
【請求項１】
格子部を主部とする所定巾環状もしくは環状に変形可能なる可撓性を有する主枠体を設け、該主枠体に固定される筒状のネット収納枠体を設け、該ネット収納枠体内部を上下に二分する仕切り板を設け、仕切り板下方にポール保持のための有孔のウエイトを位置させ、該ウエイト内にその下部を保持されるポールを設けるとともに、このポールを前記ネット収納枠体上方に突出させ、該ポール上縁に掲示板を取り付け、ネット収納枠体上縁に載置されて位置する上蓋を設け、一方、主枠体の展開時における上面を覆うに足るネットを設けるとともに、該ネットの一部をネット収納枠体および主枠体の上部の一部に固定することにより、ネットの枠体に対する非固定部を持ち上げることにて、枠体とネットの間の空隙を現出させてゴミ投入位置として、ゴミ袋投入後のネット位置安定保持を可能としたことを特徴とする、ネット一体型掲示板付きゴミステーション用自立型可撓性枠体。
【請求項２】
主枠体もしくはネット収納枠体あるいはその双方に用いる枠体巾端に補強部を設けてなる請求項１記載のネット一体型掲示板付きゴミステーション用自立型可撓性枠体。
【考案の詳細な説明】
【技術分野】
【０００１】  この考案は、ネット一体型による掲示板付きのゴミステーション用自立型可撓性枠体に関する。
【背景技術】
【０００２】  従来より、可撓性枠体によるゴミステーション用の物品はあるが、その大半は本体とは別体のネットを用いるものであり、本案にて示すようにネットと枠体を一体化したものは見当たらない。
【先行技術文献】
【特許文献】
【０００３】
【特許文献１】実登３１８９３８８
【特許文献２】実登３１８９３８９
【考案の概要】
【考案が解決しようとする課題】
【０００４】  上記の特許文献１に示される、ゴミステーション用自立型可撓性枠体は、格子部を有する所定巾環状もしくは環状に変形可能なる可撓性を有する枠体を設けて、この枠体の両巾間に、補強体を該巾端に対し垂直に固定したものである。従って、可撓性を有しながらも上下方向に所定の剛性を有して地面上に展開が可能である。
使用時には、展開した可撓性枠体上面を覆うネットと併用する。使用者は、このネットを持ち上げて、持参したゴミ袋をこの枠体内に投入後、ネットを元の位置にかぶせることにより、カラス等による鳥害を防止することができる。また、該枠体と電柱とを紐等にて結ぶことにて、この枠体の風等による移動や盗難を防止することができる。
不使用時には、枠体を丸めてコンパクトにできるので、路面上専有面積を小さくする事ができる。【０００５】  特許文献２に示される、掲示板付きゴミステーション用自立型可撓性枠体は、格子部を有する所定巾環状もしくは環状に変形可能なる可撓性を有する主枠体と、この主枠体に固定される筒状のネット収納枠体を設けて、該ネット収納枠体内部を上下に二分する仕切り板を設け、この仕切り板下方にポール保持のための有孔のウエイトを位置させ、このウエイト内にその下部を保持されるポールを設けるとともに、このポールを前記ネット収納枠体上方に突出させ、このポール上縁に掲示板を取り付け、ネット収納枠体上縁に載置されて位置する上蓋を設けたものである。【０００６】  これは、前記の特許文献１を改良進化させたもので、ネットの収納を可能とするとともに、掲示板にゴミ出し日その他の情報表示を可能とし、上蓋にて雨水や積雪からネットを保護する効果も有している。この上記二つの特許文献と本案の出願人は同一である。
上記二つの考案はいずれも枠体とネットは分離している。
従って、使用者が正しく枠体上部全面を覆うように事後のネット処理を行う場合には問題はないのであるが、ときには枠体に対するネットのかぶせ方が不十分であった場合、枠体とネットの隙間からカラス等が入り込んで、ゴミ袋をつついて内容物を散乱させる恐れがある。あるいは枠体とネットとが固定されていないために、ネットの盗難の心配がある。
本案は以上に鑑み、枠体の一部とネットの一部とを固定して、ゴミ袋投入に必要な部分を確保し、ゴミ袋投入後の枠体に対するネット位置の正常化を図ることにより、既述の問題を解決することのできる、新規かつ有用なる手段を提供することを目的として発案されたものである。
【課題を解決するための手段】
【０００７】  課題を解決する手段として本案は以下の構成とした。
すなわち、格子部を主部とする所定巾環状もしくは環状に変形可能なる可撓性を有する主枠体を設け、該主枠体に固定される筒状のネット収納枠体を設け、該ネット収納枠体内部を上下に二分する仕切り板を設け、仕切り板下方にポール保持のための有孔のウエイトを位置させ、該ウエイト内にその下部を保持されるポールを設けるとともに、このポールを前記ネット収納枠体上方に突出させ、該ポール上縁に掲示板を取り付け、ネット収納枠体上縁に載置されて位置する上蓋を設け、一方、主枠体の展開時における上面を覆うに足るネットを設けるとともに、該ネットの一部をネット収納枠体および主枠体の上部の一部に固定することにより、ネットの枠体に対する非固定部を持ち上げることにて、枠体とネットの間の空隙を現出させてゴミ投入位置として、ゴミ袋投入後のネット位置安定保持を可能とする。
本案は以上の構成よりなるネット一体型掲示板付きゴミステーション用自立型可撓性枠体である。
【考案の効果】
【０００８】  本案は、下記の効果を有する。
１．主枠体は所定範囲内にて地上に自由に展開し広げることができるので、ゴミ袋数に対  応してその展開サイズを調整することができる。
２．ネット収納枠体を主枠体に固定して設け、該ネット収納枠体上縁を覆うとともに該上  縁より上方に移動可能なる上蓋を設けたので、雨水からの保護や、降雪時におけるネッ  ト収納枠体内への雪の堆積を防止することができる。
３．ネット収納枠体内下方に有孔のポール保持ウエイトを位置させ、この孔内にその下部  を位置させるとともに、ネット収納枠体より上方に突出するポールを設け、該ポール上  縁に掲示板を設けたので、ポールの安定保持と掲示板によるゴミ排出の注意事項など必  要な情報を的確に表示することができる。
４．主枠体は巻きまとめてコンパクト化ができるので、不使用時における路上占有面積を  小さくすることができる。
５．主枠体等の一部とネットの一部を一体化したので、ゴミ投入後の主枠体に対するネッ  ト位置の安定保持が可能となり、ネット処理の不手際等による鳥害を防止することがで  きる。
【図面の簡単な説明】
【０００９】
【図１】  本考案の正面図（ネットをかぶせた状態）
【図２】  本考案の平面図（ネットをかぶせた状態）
【図３】  本考案の要部構造説明図
【図４】  本考案の要部構造説明図
【図５】  本考案の使用状態図
【図６】  本考案の不使用状態図（一部略）
【考案を実施するための最良の形態】
【００１０】  以下、本考案の実施形態について説明する。
図において、１は略環状の主枠体で、格子部２を主部とした所定巾の合成樹脂製シート状枠体であって、可撓性を有し、該枠体の両巾端は非格子部としての補強部３が格子部と一体に形成される。４はネット収納枠体であって、前記の主枠体と同一素材にて平面視円形筒状に形成された部分であり、主枠体の両端が図２にて示されるように、ネット収納枠体側面に適宜固定部材（図示略）にて固定される。あるいは、主枠体を円形や楕円形状に展開可能として、この主枠体に内接もしくは外接してこのネット収納枠体を設けてもよい。
５は、ネット収納枠体の上下方向中間位置にて、水平に内接固定されて位置する有孔の円形合成樹脂板による仕切り板である。６はポール保持ウエイトで、後述のポールを立設保持するためのものである。このポール保持ウエイトは、側面視略円錐台形状のコンクリート製ブロック体であって、その中央上面から底面に至る貫通孔を有し、また、底面中央は所定巾と深さによる切除部による空隙部７が形成される。このポール保持ウエイトは仕切り板下方に載置されて位置する。【００１１】  ８は所定長管体によるポールで、その下部は前記のポール保持ウエイトの孔内に位置するとともに、その下端に近接してポール側面に垂直に貫通する小孔が穿設され、この小孔にピン９が圧入される。なお、このピン長はポール保持ウエイトの上下貫通孔サイズより長いので、ポールがポール保持ウエイトから抜けることが防止される。
１０は四角平板による掲示板で、適宜固定部材にてポール上縁部分に取り付けられる。
１１は上蓋で、前記仕切り板と同一素材による円形平板であり、その外径はネット収納枠体外径よりやや大きく形成され、この上蓋はその中央に孔を有してネット収納枠体上面に載置され、この孔よりポールが突出して位置している。
１２は吊り紐で、上蓋に固定されるループ状ワイヤーであり、掲示板もしくは掲示板のポール取り付け部に引っかけることが可能である。
従って、この吊り紐を持ち上げると、上蓋はネット収納枠体上面から離れて上方へ移動し、主枠体を覆うためのネット２０をこのネット収納枠体内における仕切り板上に収納することができる。なお、このネットは市販品で、主枠体を地上に展開し広げた場合に、その全体を覆うに十分なるサイズを有する網状物品であり、鳥害を防止可能とするメッシュサイズにて設けられているものである。ネット収納後は、その上に上蓋が位置して、雨水からネットを保護するとともに、降雪によるネット収納枠体内への雪堆積が防止される。
２１は主枠体に対するネット固定部で、ネットを折り曲げて主枠体上部に縫着した部分であって、主枠体上部の平面視における半分以上を占める部分である。２２は非固定部であり、この箇所ではネットを自由に持ち上げることができ、この箇所から持参したゴミ袋を投入する事ができる。２３はネット非固定部端に固定される適宜長の合成樹脂管体よりなる持棒である。【００１２】  次に本案の使用について説明する。本案不使用時は図６にて示すように、枠体を巻回丸めて地面上に載置しておく。使用時は、主枠体を地上に展開し広げて、その上にネットをかぶせておく。このとき、上蓋はネット収納枠体上面に載置されて位置し、上蓋中央の孔よりポールは上方へ突出しており、ポール上縁には掲示板が位置し、この掲示板には、ゴミ排出に関わる情報等が表示されている。
ゴミ投入時には、上蓋を持ち上げて掲示板等に引っかけておき、持棒をつかんでネットの非固定部を少し持ち上げて主枠体内に持参したゴミ袋を投入し、ネットを元の位置に戻しておき、これを順次繰り返して、所定日時に至れば、ゴミ収集車がやってきてこのゴミは処理される。
以上の状態において、ネット収納枠体上面には上蓋が位置して、この枠体内への雪の堆積は防止される。また、ゴミ投入者は掲示板情報を目視して、ゴミ排出の日時とその内容を確認してゴミ排出を行うことができる。ゴミ処理後は、吊り紐にて上蓋を持ち上げて、ネット収納枠体内の仕切り板上に丸めたネットを収納することができ、収納後は上蓋をもとの位置に戻しておく。この上蓋はポールがガイドとなって、ネット収納枠体上面に正しく載置することができる。不使用時には主枠体を丸めてネット収納枠体外面に巻きつけてコンパクト化ができ、図６にて示すように、地上占有面積を小として、歩道通行者の妨げの恐れがなくなる。また、主枠体を格子部主体とすることにて、投入されているゴミ袋の様子を視認することができる。【００１３】  以上、本案について記したが、本案は上蓋によるネット収納枠体内への雪の堆積を防止して、ネット収納機能の保全を行うとともに、ポール上方の掲示板にて必要情報をゴミ投入者に伝えるところにその特徴を有するものである。前記の特許文献１ではこれらの機能がないために、利便性に欠けるものであったが、本案にてこれが解消されるものとなったのである。また、特許文献２ではネットと主枠体は分離しているので、既述の問題があったが、本案にて解決するものとなったのである。
本案の特徴の一つとして、既述のようにネットの一部と主枠体およびネット収納枠体の一部とを固定した手段がある。従来例では主枠体とネットは分離しているために、ゴミ投入後の枠体に対する平面視的ネット位置保持は使用者の任意であるために、複数人の使用後にはネット位置が主枠体から次第にずれていくことが予想され、ついには主枠体を正しく覆う状態となならない恐れがある。しかしながら、本案ではネットの一部が主枠体の一部と一体化しているために、ネットの大半は主枠体との位置関係が保たれて、前記のような心配がなく、常にネットにて主枠体上面を覆うことが可能となったのである。
また、持棒を設けることにて、ネットを上げる際の目印となって使いやすいものとなっている。【００１４】  なお、既例においては格子部と一体に補強部を設けたが、簡易タイプとしてこの補強部を設けずに格子部のみにて枠体を構成することも可能であり、あるいは格子部を設けずに単なるシート状の可撓性素材にて枠体を設けてもよく、これは主枠体とネット収納枠体のいずれか一方もしくは双方に適用可能である。なお、主枠体の上縁と下縁間に、棒体を平面視適宜間隔にて固定することにて、主枠体の剛性をさらに高めることができる。
また、既例においてはウエイト上方に仕切り板を設けたが、ウエイト上面にこの仕切り板を固定して設けてもよい。なお、ネット収納枠体に巻回した主枠体の巻回状体保持のために、フックの付いた紐等を用いることにて、不使用時の形状保持ができる。
以上のごとく、本案によって種々の利点を有するネット一体型による掲示板付きのゴミステーション用自立型可撓性枠体を得ることができる。
【符号の説明】
【００１５】  １  主枠体
２  格子部
３  補強部
４  ネット収納枠体
５  仕切り板
６  ポール保持ウエイト
７  空隙部
８  ポール
９  ピン
１０  掲示板
１１  上蓋
１２  吊り紐
２０  ネット
２１  ネット固定部
２２  ネット非固定部
２３  持棒
３０  ゴミ袋
【図１】
0003196460.tif 000003
【図２】
0003196460.tif 000004
【図３】
0003196460.tif 000005
【図４】
0003196460.tif 000006
【図５】
0003196460.tif 000007
【図６】
0003196460.tif 000008